(57)【特許請求の範囲】
【請求項１】
ごみ袋を収容して使用する、上下にそれぞれ開口を有する筒状のごみ容器において、前記ごみ容器は、
上方開口にかけて縮小するテーパー部分と、
下方開口にかけて垂直な垂直部分と、
前記上方開口に前記ごみ袋の口部を掛止するための掛止部と、
を有するごみ容器であって、
前記ごみ容器は、
前記ごみ容器の上方開口径が、前記ごみ袋の口部内周長よりも５〜１０％小さく、
前記ごみ容器の下方開口径が、前記上方開口径よりも５〜１５％大きく、
前記ごみ容器の高さが、前記ごみ袋の高さよりも３０〜４０％小さく、
さらには、
前記テーパー部分が、ごみ容器の略中央から上方開口にかけて形成され、
前記垂直部分が、前記ごみ容器の略中央から下方開口にかけて形成されることを特徴とする、ごみ容器。
【発明の詳細な説明】
【技術分野】
【０００１】
本発明は、容器内部にごみ袋を収容可能なごみ容器に関する。
【背景技術】
【０００２】
従来、図６（ａ）に示すような、容器１の上方に開口Ａを有し、内部にごみ袋２を収容可能なごみ容器１が知られている。このようなごみ容器１は、例えば、多数の人が生活する集合住宅や学校などのごみ集積場のみならず、飲食店や公園など、幅広く用いられており、特に、４０リットル以上の大型のごみ容器１（大型ごみ容器１）は、点在する小さなごみ箱に収容されるごみを、集中的に集めて保管するのに好適である。そして、所定のごみ収集日において、前記大型ごみ容器１に収容される大きなごみ袋２を回収して、まとめて一度に回収することが可能である。
【０００３】
しかしながら、このような従来の大型ごみ容器１は、そのほとんどが古くから用いられる一般的な容器形状であり、ごみ容器１の形状が、上方開口Ａから底面Ｂにかけて狭まる形状をなしている。すなわち、上方開口径が底面周径より大きく形成されており、収容されるごみ袋２を容器１の上方開口から取り出す構成である。
【０００４】
そして、このような大型ごみ容器１は、小さなものでも４０リットル、大きなものでは９０リットル程度の容量を有し、大型ごみ容器１に収容される中身の詰まったごみ袋２は、少なくとも３０ｋｇから重いもので５０ｋｇもの重量があるため、重量の重い前記ごみ袋２をごみ容器１の上部開口Ａから取り出すための大きな労力を必要とする。
【０００５】
すなわち、大型ごみ容器１を用いて、日々のごみを収集、保管し、例えば週に一度のごみ収集日に大型ごみ容器に収容される大きなごみ袋２を回収するが、従来の大型ごみ容器１は、ごみ袋を出し入れするための開口がごみ容器の上方に形成されており、ごみの詰まったごみ袋２を取り出すためには、図６（ｂ）に示すように、少なくともごみ容器１の高さ以上に持ち上げる必要があった。
【０００６】
特に、学校や集合住宅など、大型ごみ容器１を多数扱うごみ集積所においては、ごみ収集日にごみ袋２を集める都度、このような作業を、ごみ容器１の数だけ行う必要があり、多大な手間や労力を生じている。さらには、個々のごみ袋２を持ち上げて取り出す方法では、個々のごみ袋２の重量が、ごみ袋２の内容物の種類や、ごみのつまり具合によって異なるため、ごみ容器１からごみ袋２を回収する際に、重量の異なる個々のごみ袋２を取り出すための手間や労力が必要であった。
【０００７】
また、従来のごみ容器は、底部を有し、上方開口からごみ袋を取出す構成である。このため、底部分が上方開口より小さく、上方開口から下方にかけて狭まる形状をなしている。よって、ごみ容器に収容されるごみ袋の下方部分が充分に拡がりきらず下方部分が余ってしまうため、ごみ袋一杯にごみを充填することが困難であり、ごみの収集容量が大幅に減少してしまうという問題があった。
【０００８】
このため、ごみ袋一杯にごみを詰め込んだ後も、一旦ごみ袋２をごみ容器１から取り出し、上方部分のごみをさらに下方へと詰め込み、ごみ袋２の上方に形成された新たなスペースへとごみを追加充填した後、口部を縛る等の追加作業を要するといった問題があった。
【０００９】
さらには、このようなごみ容器を横並びに複数保管する際に、隣り合うごみ容器１との下方部分に隙間が生じてしまい、隣り合うごみ容器１との間に形成された隙間部分が無駄なスペースとなってしまうといった問題があった。このように、下方から上方へと拡がる形状かつ底部分を有する形状からなる従来のごみ容器では、作業性、充填性、保管スペースの確保等に問題があった。
【発明の開示】
【発明が解決しようとする課題】
【００１０】
本発明は、このような問題点を解決するためになされたものであり、その課題は、主に、従来のごみ容器を使用することにより要する手間や労力を省き、ごみ袋の収集において、最も適した形態を有するごみ容器を提供することを課題とする。さらには、多数のごみ容器を保管する際に生じる無駄なスペースを省くとともに、ごみ袋の容量を最大限に利用することで、必要なごみ容器の量を減らし、環境に優しく、省エネ、かつ使用性や効率性の高い、ごみ容器を提供することを課題とする。
【課題を解決するための手段】
【００１１】  そこで、上記課題を解決するため、本発明の請求項１記載の発明は、ごみ袋を収容して使用する、上下にそれぞれ開口を有する筒状のごみ容器において、前記ごみ容器は、上方開口にかけて縮小するテーパー部分と、下方開口にかけて垂直な垂直部分と、前記上方開口に前記ごみ袋の口部を掛止するための掛止部と、を有するごみ容器であって、前記ごみ容器は、前記ごみ容器の上方開口径が、前記ごみ袋の口部内周長よりも５〜１０％小さく、前記ごみ容器の下方開口径が、前記上方開口径よりも５〜１５％大きく、前記ごみ容器の高さが、前記ごみ袋の高さよりも３０〜４０％小さく、さらには、前記テーパー部分が、ごみ容器の略中央から上方開口にかけて形成され、前記垂直部分が、前記ごみ容器の略中央から下方開口にかけて形成されることを特徴とする、ごみ容器である。
【発明の効果】
【００１２】  本発明の請求項１記載の発明は、ごみ袋を収容して使用する、上下にそれぞれ開口を有する筒状のごみ容器において、前記ごみ容器は、上方開口にかけて縮小するテーパー部分と、下方開口にかけて垂直な垂直部分と、前記上方開口に前記ごみ袋の口部を掛止するための掛止部と、を有するごみ容器であって、前記ごみ容器は、前記ごみ容器の上方開口径が、前記ごみ袋の口部内周長よりも５〜１０％小さく、前記ごみ容器の下方開口径が、前記上方開口径よりも５〜１５％大きく、前記ごみ容器の高さが、前記ごみ袋の高さよりも３０〜４０％小さく、さらには、前記テーパー部分が、ごみ容器の略中央から上方開口にかけて形成され、前記垂直部分が、前記ごみ容器の略中央から下方開口にかけて形成されることを特徴とするから、中身の詰まったごみ袋を容器上方の開口まで持ち上げることなく、前記ごみ容器を前記ごみ袋より上方へと持ち上げる構成である。
このため、多数のごみ容器から多数のごみ袋を取り出す際にも、個々のごみ袋の重量に依らず、重量の等しい前記ごみ容器を持ち上げる操作であり、ごみ袋の回収に多くの手間や労力を生じることなく、一層の作業能率の向上を図ることが可能である。
さらには、ごみ袋の下方部分を余すことなく、ごみ袋目一杯にごみを収容することが可能であり、上方のごみを軽く押し込むことで、ごみ袋の下方部分がさらに拡がり、上方部分のごみを下方へと簡単に詰め込んで、新たな収集スペースを確保することが可能である。よって、環境に優しく、省エネ、かつ使用性や効率性の高い、ごみ容器を提供することが可能である。
【発明を実施するための最良の形態】
【００１３】
本発明に係るごみ容器１（容器１）の一例としては、図１（ａ）に示すような、容器１内部にごみ袋２を収容可能な、上下にそれぞれ開口（上方開口ａ、下方開口ｂ）を有する筒状のごみ容器１であって、特に、前記ごみ容器１の上方開口ａおよび下方開口ｂは、前記ごみ容器１の前記上方開口径ａが、前記下方開口径ｂより小さい開口径を有する構成である。
【００１４】
そして、このようなごみ容器の上方開口ａの周縁部分（掛止部４）へとごみ袋の口部３を開いた状態で掛止して、ごみ容器の上方開口ａからごみを投入する構成である。
特に、本発明のごみ容器は、容器の下方にかけて拡がる形状をなしており、ごみ袋の下方部分が最大限に拡がるため、ごみ袋一杯にごみを充填することが可能である。よって、ごみ容器１の数量を必要最低限にすることが可能であり、ごみ集積所の省スペース化を図ることが可能である。
【００１５】
さらには、一旦ごみ容器１の上方部分までごみを収容した後、上方のごみを下方へと軽く押し込むことで、ごみ袋２の下方部分がさらに拡がるとともに、ごみ袋中の空気層が押し出され、ごみ袋２の上方に新たなスペースが生じることとなる。よって、さらにごみを追加充填することが可能であり、ごみ袋２の容量を余すことなく最大限に利用してごみを充填することが可能である。
【００１６】
そして、前記ごみ袋２の回収時には、ごみ容器の上方開口ａと水平の位置まで目一杯のごみを充填した後、ごみ容器１の上方開口ａの縁に沿って形成された掛止部４へと掛止したごみ袋２の口部３を取り外す。そして、ごみ容器１に形成された持ち手５を掴みごみ容器１を上方へと持ち上げてごみ容器１を取り外した後、図１（ｂ）に示すように、ごみ袋２の口部３を縛ることで、簡単にごみ袋２を回収することが可能である。
【００１７】
特に、従来の大型ごみ容器１では、ごみの詰まったごみ袋２を持ち、少なくとも容器１の高さ以上に持ち上げて取り出す必要があるため、中身の詰まった重量の重いごみ袋２を取り出すために大きな労力を要した。さらには、このとき、ごみ袋２が破けている場合には、持ち上げたごみ袋から内容物が漏れ出し、ごみ容器の底部のみならず床面を汚してしまうため、ごみ容器の底部を洗浄するための労力や手間を要するという問題があった。
【００１８】
これに対して、本発明のごみ容器１は、中身の詰まった重量の重いごみ袋２を容器の上方開口ａまで持ち上げることなく、ごみ容器１自体を持ち上げる構成であり、多数のごみ容器１から複数のごみ袋２を取り出す際にも、個々のごみ袋２の重量に依らず、重量の等しい前記ごみ容器１を持ち上げる操作で、多数のごみ袋２を容易に回収することが可能であり、一層の作業能率の向上を図ることが可能である。
【００１９】
以下に、本発明のごみ容器１の構成について、さらに詳しく説明する。
本発明のごみ容器１は、図２（ａ）（ｂ）に示すように、容器１の上下にそれぞれ上方開口ａおよび下方開口ｂを有し、特に上方の開口ａが下方の開口ｂより、小さく形成されている点に特徴がある。
【００２０】
すなわち、容器１の上方開口ａから下方開口ｂにかけて、角度θの傾斜面からなるテーパー６が形成されており、容器１の上方開口ａの内周長ａが、容器の下方開口ｂの内周長ｂより小さく形成されている。これにより、ごみの充填に伴い、ごみ袋２の下方部分が横方向へと大きく拡がるため、ごみ袋２の下方部分へと目一杯にごみを充填することが可能である。
【００２１】
また、ごみ容器１の上方開口ａには、高さｈの略垂直な部分からなる掛止部４が形成されており、ごみ袋２の口部３を広げて、上方開口ａの掛止部４へとごみ袋２を掛止自在に構成されている。これにより、ごみの投入に伴う衝撃等で、ごみ袋２がごみ容器１から簡単に外れてしまうことを防ぎ、さらには、ごみ袋２の容量を目一杯使用してごみを収容した際にも、掛止部４の折り返したごみ袋部分３を用いてごみ袋２の口部３を簡単に縛ることが可能である。
【００２２】
このように、本発明のごみ容器１は、容器１内部にごみ袋２を収容可能な、上下に開口を有する筒状のごみ容器１であって、前記ごみ容器１の上方開口径ａが、前記ごみ容器１の下方開口径ｂより小さい開口径である簡単な構成により、ごみ袋の下方部分が最大限に拡がるため、ごみ袋一杯にごみを充填することが可能である。よって、ごみ容器１の数量を必要最低限にすることが可能であり、ごみ集積所の省スペース化を図ることが可能である。
【００２３】
さらには、中身の詰まった重量の重いごみ袋２を回収する際にも、個々のごみ袋２の重量に依らず、重量の等しい前記ごみ容器１を持ち上げる操作でごみ袋を回収することが可能であり、ごみ袋２の回収に多くの手間や労力を生じることなく、一層の作業能率の向上を図ることが可能である。
【００２４】
本発明のごみ容器１は、図３（ａ）（ｂ）に示すように、ごみ容器１の上部開口ａを覆う、取手付きの蓋体８を形成してもよく、生ごみや空き缶などの、刺激臭を生じるごみを収集する際に好適であり、外部に臭い漏れを生じることなく、ごみ容器を清潔に保管することが可能である。さらには、ごみ容器１の前記テーパー６部分にごみの種類や分別方法などを記載した表示部７（図示では「空き缶」の文字）を設けてもよく、テーパー６の傾斜面が斜め上方を向いているため、表示部７が見えやすく目立つ効果がある。
【００２５】
さらに、本発明のごみ容器１は、図４（ａ）に示すように、ごみ容器１の掛止部４の先端凸部分へと、凹部を有するストッパー１０を着脱自在に形成してもよく、図４（ｂ）に示すように、前記ごみ容器１の上方開口ａに形成された前記掛止部４と、該掛止部４に掛止したごみ袋２の口部３とを、同時に掛止することが可能であり、ごみ袋２の口部３が掛止部４から脱落してしまうことをさらに強固に防ぐことが可能である。
【００２６】
さらには、図４（ａ）（ｂ）に示すように、ごみ容器１の下方開口ｂを塞ぐ、受け皿９を形成してもよく、万が一ごみ袋２から液体等の内容物が漏れても、床面を汚してしまうことを防ぎ、ごみ容器１を常に清潔に保管することが可能である。そして、前記ごみ容器１の下方開口縁ｂに凸状の係合部１１を形成するとともに、前記受け皿９の外縁に、凹状の被係合部１２を形成して、これらを互いに係合してもよく、ごみ容器１の下方開口ｂを塞ぐ取り外し自在の底部を形成してもよい。また、前記受け皿９および前記ストッパー１０と前記ごみ容器１との係合は、例えばネジ嵌合や打着など適宜構成からなるロック機構を適用することが可能である。
【００２７】
このように本発明のごみ容器１は、ごみ袋２を強固に掛止するためのストッパー１０や、ごみ容器１の前記上方開口ａを塞ぐ蓋体８、さらには、ごみ容器１の前記下方開口ｂを塞ぐ受け皿９、などの構成を付加することで、ごみ容器１の使用性をさらに向上することが可能であるとともに、ごみ容器１を清潔な状態で保管することが可能である。
【００２８】
特に、ごみ容器１の底部を取り外し自在な別部材からなる底部９とすることにより、たとえごみ容器１の底部９が汚れた際にも、底部９のみを取り外して簡単に洗浄することが可能であり、従来のごみ容器１の底部を洗浄する際に、ごみ容器１に水が溜まってしまい、重量の重いごみ容器１を傾けて水を排出する手間等を生じることがない。
【００２９】
また、ごみ容器１を清掃する際にも、上部開口ａと下部開口ｂとからごみ容器１の内部を拭き取る若しくは洗浄することが可能であり、ごみ容器１の内部に水や洗剤等が溜まってしまうことがなく、一方の開口のみを有する従来のごみ容器に比べ、掃除にかかる手間を半減することが可能である。
【００３０】
本発明のごみ容器１は、多数の人が生活する集合住宅や学校などのごみ集積場などの多数のごみ容器１を保管する場合に好適であり、例えば図５（ａ）（ｂ）に示すように、隣り合うごみ容器１との間に無駄な隙間を生じることなく、密に配置することが可能である。よって、限られたごみ容器１の保管スペースを有効に利用することが可能であるとともに、ごみ袋２目一杯にごみを収容することが可能であるから、ごみ容器１の個数を低減することが可能である。さらには、未使用の前記ごみ容器１は、図５（ａ）に示すように、縦方向に積み重ねた状態Ｓで、コンパクトに保管することが可能である。よって、ごみ袋２回収時の効率化のみならずごみ集積所の省スペース化を図ることが可能である。
【００３１】
また、本発明のごみ容器１は、従来のごみ容器１を用いて追加補充することなくごみ袋２を回収した場合に比べて、ごみ袋２の使用量を３０〜４０％ほど削減することが可能であり、本発明のごみ容器１により、環境汚染の削減、ごみ処理経費の削減、さらには、快適な作業環境の確保が可能である。
【００３２】
本発明のごみ容器１は、市販の定型ごみ袋２に合わせた、最適な寸法値を有することが望ましく、４５Ｌ、７０Ｌ、９０Ｌのそれぞれのごみ袋２を用いた場合の、前記ごみ容器１の最適寸法値の一例を表１に示す。
【表１】
0004157917.tif 000002
【００３３】
例えば、表１で示す、９０リットルのごみ袋２の場合、ごみ袋２の大きさは、縦１００ｃｍ×横９０ｃｍである。そして、ごみ袋２の口部３を開いた際の、口部３の開口周長（口部周長）は、横９０ｃｍ×２＝１８０ｃｍである。
【００３４】
そして、本発明の９０リットルのごみ容器１は、上方開口ａの内周長ａが、ごみ袋の口部周長（１８０ｃｍ）より約８％小さい１７２ｃｍであり、よって上方開口ａの直径は１７２ｃｍ÷π≒５５ｃｍである。
【００３５】
他方、ごみ容器１の下方開口ｂの内周長ｂは、上方開口ａの内周長ａ（１７２ｃｍ）よりさらに５％ほど大きい１８９ｃｍであり、よって下方開口ｂの直径は１８９ｃｍ÷π≒６０ｃｍである。
【００３６】
そして、ごみ容器１の高さｄは、ごみ袋２の高さ（１００ｃｍ）の６５％である６５ｃｍである。
【００３７】
また、上方開口ａの内径および下方開口ｂの内径に対する、それぞれの外径は、内径に５ｃｍ程度の幅を付与すればよく、適宜、容器１の強度や重量等を考慮して設計することが可能である。
【００３８】
本発明のごみ容器１は、上記例では円筒形状のごみ容器を示したが、これに限らず、４角形や６角形などの多角形状であってもよく、容器内部にごみ袋２を収容可能な、上下に開口を有する筒状のごみ容器１であって、前記ごみ容器１の上方開口径ａが、前記ごみ容器１の下方開口径ｂより小さい開口径を有するごみ容器１であれば、ごみ袋の回収を容易に行なうことが可能であり、ごみ容器１の形状は特に限定されるものではない。
【００３９】
また、ごみ容器１の材質としては、プラスチックに限らず紙や段ボール、さらには、複合シート等を用いてもよく、ごみ容器１を弾力性のある素材とすることにより、ごみ袋の形状自由度がさらに向上するため、さらにごみ収集量を増大することが可能であり、また、ごみ容器１の重量をさらに軽量化することが可能である。
【００４０】
また、ごみ容器１に形成した前記持ち手５は、貫通孔５の場合を示したが、これに限らず、外方へと突出した形状からなる持ち手５であってもよい。さらには、前記蓋体８およびストッパー１０や受け皿９は、適宜従来構成を用いればよく、上記例に限定されるものではない。
【００４１】
本発明のごみ容器１は、前記ごみ容器１の上方開口径ａが、前記ごみ容器１の下方開口径ｂより小さい開口径であるとともに、前記ごみ容器１の、前記上方開口ａの外周長が、前記ごみ袋２の口部３の内周長よりも５〜１０％程度小さく、かつ前記下方開口ｂの内周長が、前記上方開口ａの外周長よりも５〜１５％程度大きい構成であることが望ましく、これにより、ごみ容器１の下方部分が横方向に拡がり大きなスペースが形成されるため、ごみ袋２の下方部分を余すことなく、ごみ袋２目一杯にごみを収容することが可能である。さらには、上方のごみを軽く押し込むことで、ごみ袋２の下方部分がさらに拡がり、上方部分のごみを下方へと簡単に詰め込んで、新たな収集スペースを確保することが可能である。
【００４２】
また、本発明のごみ容器１は、該ごみ容器１の高さｄが、前記ごみ袋２の高さより、少なくとも３０〜４０％小さい構成であることが望ましく、ごみ袋２の容量を目一杯使用して、ごみを収容することが可能である。よって、環境に優しく、省エネ、かつ使用性や効率性の高い、ごみ容器１を提供することが可能である。
【図面の簡単な説明】
【００４３】
【図１】（ａ）（ｂ）本発明のごみ容器の一例を示す図である。
【図２】（ａ）ごみ容器の一部切断側面図である。      （ｂ）ごみ容器の底面視図である。
【図３】（ａ）（ｂ）本発明のごみ容器の別の例を示す図である。
【図４】本発明のごみ容器のさらに別の例を示す説明図である。      （ａ）一部切断説明図である。      （ｂ）ごみ容器の使用例を示す説明図である。
【図５】ごみ容器の使用例を示す一部切断説明図である。      （ａ）斜視図である。      （ｂ）正面図である。
【図６】（ａ）（ｂ）従来のごみ容器を示す一部切断説明図である。
【符号の説明】
【００４４】
１  ごみ容器（容器）
２  ごみ袋
３  ごみ袋の開口（口部）
４  掛止部
５  持ち手
６  ごみ容器のテーパー部分（テーパー）
７  表示部
８  蓋体
９  受け皿
１０  ストッパー
１１  係合部
１２  被係合部
ａ  ごみ容器の上方開口（上方開口）
ｂ  ごみ容器の下方開口（下方開口）
【要約】
【課題】従来のごみ容器を使用することにより生じる、無駄や手間を省き、ごみ袋の収集において、最も適した形態を有するごみ容器を提供することを課題とする。さらには、環境に優しく、省エネ、かつ使用性や効率性の高い、ごみ容器を提供することを課題とする。
【解決手段】上記課題を解決するため、本発明の請求項１記載の発明は、容器内部にごみ袋を収容可能な、上下にそれぞれ開口を有する筒状のごみ容器であって、前記ごみ容器の上方開口径が、前記ごみ容器の下方開口径より小さい開口径を有することを特徴とする、ごみ容器である。
【選択図】図１【図１】
0004157917.tif 000003
【図２】
0004157917.tif 000004
【図３】
0004157917.tif 000005
【図４】
0004157917.tif 000006
【図５】
0004157917.tif 000007
【図６】
0004157917.tif 000008